(57)【特許請求の範囲】
【請求項１】
低圧配電線路の引込線の途中に接続して使用し、ヒューズエレメントと、前記ヒューズエレメントと電線を接続する電線接続端子と、前記ヒューズエレメントを被覆するガラス管からなる内筒と、前記内筒を被覆し両端から前記電線接続端子を貫通させた合成樹脂性の絶縁筒と、前記電線接続端子を被覆するラッパ状の端子カバーとで構成される電線ヒューズであって、
前記端子カバーは、
絶縁性の弾性体からなり、
前記絶縁筒において前記内筒外周を被覆する部分をさらに覆うまで延長した延長部を備え、
前記延長部の円周上において連続のリング状突起を、一つまたは複数形成したことを特徴とする電線ヒューズ。
【発明の詳細な説明】
【技術分野】
【０００１】
本発明は、低圧配電線路の引込線の途中に接続して使用する電線ヒューズの改良に関するものである。
【背景技術】
【０００２】
従来、低圧配電線路と需要家とを結ぶ引込線に対し、過電流を原因とした引込線の焼損防止のため、保護機器として電線ヒューズを介在させている。
【０００３】
一般的に、このような電線ヒューズは、樹脂などからなる筒（以下、絶縁筒）の両端に電線接続端子をそれぞれ貫通し、各電線接続端子の内端間にヒューズエレメントを連結して構成される。
【０００４】
そして、ヒューズエレメントは、例えばホウケイ酸ガラスなど、ガラスからなる筒（以下、内筒）で被覆される。この内筒は、絶縁筒より内側の配置となり、遮断時の強度アップと遮断後の絶縁抵抗の確保のために必須のものとして知られている（例えば特許文献１参照）。
【先行技術文献】
【特許文献】
【０００５】
【特許文献１】特開２００３−２９７２２０号
【発明の概要】
【発明が解決しようとする課題】
【０００６】
しかしながら、上述した電線ヒューズは、輸送の途中に激しい衝撃を与えたり、柱上等ん高所作業中に、誤って落としてしまうことがあり、その場合、落下衝撃により内筒のガラスが割れてしまうという問題があった。ガラスに代わる材質で内筒をつくることも考えられるが、現在では、適当な材質のものはなく、比較的耐衝撃性の低いガラス管を使用している。
【０００７】
また、これの対策として別途、衝撃吸収部材を設けることも考えられるが、その部材の分だけコストアップをまねいてしまうし、製造の組立て時には、その部材の取り付け工程を新たに加える必要が生じ、作業効率が悪いという問題があった。
【０００８】
本発明は、上述した従来技術の課題を解決するためになされたものであり、耐衝撃性を高めると同時に、コストダウン並びに組立ての簡略化を図ることが可能な端子カバーを備えた電線ヒューズを提供することを目的とする。
【課題を解決するための手段】
【０００９】
上記の課題を解決するため、本願発明は、低圧配電線路の引込線の途中に接続して使用し、ヒューズエレメントと、前記ヒューズエレメントと電線を接続する電線接続端子と、前記ヒューズエレメントを被覆するガラス管からなる内筒と、前記内筒を被覆し両端から前記電線接続端子を貫通させた合成樹脂性の絶縁筒と、前記電線接続端子を被覆するラッパ状の端子カバーとで構成される電線ヒューズであって、前記端子カバーは、絶縁性の弾性体からなり、前記絶縁筒において前記内筒外周を被覆する部分をさらに覆うまで延長した延長部を備え、前記延長部の円周上において連続または不連続のリング状突起を、一つまたは複数形成したことを特徴とする電線ヒューズ。
【発明の効果】
【００１０】
本発明の電線ヒューズによれば、誤って取り落とした場合でも内筒のガラスが割れにくく、また、端子カバーを絶縁筒ひいては内筒の保護部材として兼用することから、当該の電線ヒューズの製造コストを抑えるとともに、製造時は端子カバーを取り付けるだけの簡易な作業で済むという効果を奏する。
【図面の簡単な説明】
【００１１】
【図１】図１は、本実施例に係る電線ヒューズの平面図である。
【図２】図２は、端子カバーの斜視図である。
【図３】図３は、リング状突起が一つの端子カバーの斜視図である。
【図４】図４は、リング状突起が三つの端子カバーの斜視図である。
【図５】図５は、リング状突起が不連続な場合の端子カバーの斜視図である。
【発明を実施するための形態】
【実施例】
【００１２】
以下に添付図面を参照して、本発明に係る電線ヒューズの実施形態について説明する。
【００１３】
まず、図１、２を用いて本実施例に係る電線ヒューズの概要を説明する。図１は、本実施例に係る電線ヒューズの平面図である。図２は、端子カバーの斜視図である。
【００１４】
図１に示すように、電線ヒューズ１００は、ヒューズエレメント１０と、電線接続端子２０と、内筒３０と、中間筒３５と、絶縁筒４０と、端子カバー５０とで構成される。ヒューズエレメント１０は、内筒３０により被覆される。内筒３０は、その材質に例えばホウケイ酸ガラスなどのガラスが用いられる。
【００１５】
電線ヒューズ１００では、短絡事故などによる大電流が流れた際、遮断時の強度アップと遮断後の絶縁抵抗の確保のため、ヒューズエレメント１０が内筒３０で被覆されている。また、内筒３０と中間筒３５との間には隙間を作って絶縁筒に熱が伝わりにくくすることにより、絶縁筒の焼損を防止している。
【００１６】
しかしながら、ガラスは耐衝撃性に乏しく、輸送の途中に激しい衝撃を与えたり、柱上等の高所作業中に誤って落としてしまった場合、内筒３０が割れてしまうという問題があった。
【００１７】
そこで、実施例１では、端子カバー５０を図１や図２で示されるような形状とし、落下によって内筒３０が損傷しないようにした。つまり、端子カバー５０は、もともとその材質に弾性体のゴムを使用しており、その衝撃吸収性を利用するべく、電線ヒューズ１００長手方向に、絶縁筒４０における内筒３０の被覆部分をさらに覆うまで延長し、延長部分５１を設けた。さらに、延長部分５１の周上に、連続でリング状に突起するリング状突起５２ａ、５２ｂを設けた。リング状突起５２ａ、５２ｂは延長部５１と一体であり、その厚みは端子カバー５０の厚みに比べて大きいものとなる。なお、端子カバー５０は、絶縁筒５０外周と密着するようにその径が定められる。また、従来、端子カバー５０の材料であるゴムとしては、絶縁が確保される例えばＥＰ（エチレンプロピレン）ゴムなどの弾性体を用いている。
【００１８】
こうすることによって、落下持には、リング状突起５２ａ、５２ｂが先に地面と接触してその衝撃を吸収するので、絶縁筒４０が直接地面と接触するような電線ヒューズに比べて、内筒３０のガラスは割れにくくなる。
【００１９】
また、端子カバー５０を取り付ければ、そのまま絶縁筒４０が延長部５１によって覆われ、なおかつ、リング状突起５２ａ、５２ｂに防護される状態となる。したがって、例えば、端子カバーと衝撃吸収のための別途部材がそれぞれ独立で、順番に取り付けなければならないような構造の電線ヒューズと比較して、取り付け作業が簡易であるという効果を奏する。また、一体であることから、製造コストも抑えられる。
【００２０】
また、延長部５１やリング状突起５２ａ、５２ｂによって各電線接続端子２０の沿面距離が長くなる結果、遮断後に十分な絶縁抵抗を確保することができる。
【００２１】
また、リング状突起５２ａ、５２ｂにアールを付けることにより、端子カバー５０に硬度が高いゴムを使用せざるを得ない場合でも、地面との接触面積を少なくすることで、接触面へ衝撃圧力を集中させ、よりゴムを変形させることにより、衝撃吸収の微調整を可能としている。
【００２２】
なお、本実施例では、延長部５１に２つのリング状突起５２ａ、５２ｂを設けた端子カバー５０を例として説明したが、本発明はこれに限定されるものではない。つまり、本発明の効果を得るには、延長部５１の円周上においてリング状突起を設けるだけで足り、例えば、図３や図４に示すように、リング状突起を一つにしたり、あるいは、三つにしたりしてもよい。さらには、図５に示すように、リング状部分が連続ではなく、不連続で細切れのリング状突起であってもよい。これらは、コストや耐衝撃性を考慮して最適な形状を選択することが望ましい。
【００２３】
また、本実施例では、延長部５１は、絶縁筒４０において内筒３０端部を被覆する部分まで延長するものとしたが、本発明はこれに限定されるものではなく、絶縁筒４０の真中へ向かってさらに延長するものであってもよい。本実施例では、端子カバー５０はＥＰゴムからなり、当該ＥＰゴムは不透明なので、ヒューズエレメント１０を絶縁筒４０外部からでも視認できるようにするべく（内筒３０や絶縁筒４０は透明）、延長部５１の延長については必要最小限にとどめた。
【００２４】
もちろん、端子カバー５０の材質を透明なゴムとすればこのような制限は不要であり、例えば、左右端子カバー５０の延長部５１それぞれを絶縁筒５０の真中まで延ばし、絶縁筒４０全てを覆うようにしてもよい。さらに、左右の端子カバー５０の各延長部５０は、必ずしも同じ長さでなくともよい。例えば、左端子カバー５０の延長部５０のほうが、右端子カバー５０の延長部５０より長くてもよい。
【００２５】
また、本実施例では、延長部５１と絶縁筒４０とが密着して隙間がないように、延長部５１と絶縁筒４０の各径を定めた。これにより、絶縁筒４０との間にある程度の隙間を設けるように径を定めた延長部を有する端子カバーと比較して、外形をコンパクトにすることができる、また、コストダウンを図れる、さらには、雨露にさらされた際に隙間からの浸水を防止できる。しかしながら、本発明はこれに限定されるものではなく、前述の延長部を有する端子カバーとしてもよい。その場合、延長部と絶縁筒４０の間にできる空隙のため、本実施例の端子カバー５０と比較して、耐衝撃性が高まるという効果を奏する。また、その場合、雨露にさらされた際の隙間からの浸水に対処するため、水抜きや蒸発を促す穴を端子カバー５０の適当な位置に設けるとよい。
【００２６】
以下に、本実施例に係る電線ヒューズ１００の製造方法を簡単に説明する。まず、ヒューズエレメント１０は、所定径の銅線に対してスウェージング加工を行うことにより、当該銅線を細径部と太径部とに分けて生成する。また、所定部分には錫箔を巻き、これを超音波溶着により溶着させることにより、遮断部とする。
【００２７】
次に、上記ヒューズエレメント１０をガラス管からなる内筒３０で覆い、両端については所定の栓（シリコン等、無機質材料からなるものが望ましい）で塞ぐ。この際、両端の栓に対してヒューズエレメント１０を貫通させ、内筒３０の中心軸付近でヒューズエレメント１０を固定させる。
【００２８】
次に、内筒３０をポリカーボネートなどの絶縁物からなる有底の中間筒３５で覆い、一端については同材質の蓋で閉める。この際も、中間筒３５の底や蓋に対してヒューズエレメント１０を貫通させる。
【００２９】
次に、中間筒３５両端から突き出たヒューズエレメント１０に対し、一端がパイプ形状をなす銅からなる電線接続端子２０を嵌め込み、それぞれが重なる部分をかしめることで両者を接続する。そして、このようにヒューズエレメント１０、電線接続端子２０、内筒３０、および、中間筒３５を予め組み立てた状態で、インジェクション成形により絶縁筒４０を成形し、電線接続端子２０や中間筒３５に対し密着被覆する。
【００３０】
絶縁筒４０についても、中間筒３５と同様、ポリカーボネートなどの絶縁物からなる。なお、ポリカーボネートは、電線接続端子２０の銅に対して密着不良を起こしやすいため、絶縁筒４０については、電線接続端子２０との間に予め隙間を空けて成形し、その隙間にはシリコンなどを詰めることが望ましい。
【００３１】
最後に、端子カバー５０を両端から被せ、電線ヒューズ１００の組立てが完了する。このように、端子カバー５０は、絶縁筒ひいては内筒の保護部材として兼用されているため、衝撃吸収のための別途部材を使用する場合と比較して、組立てが簡易で済む。
【００３２】
以上のように、本実施例では、端子カバー５０の材質はもともとゴムであり、その衝撃吸収性を利用するべく、絶縁筒４０における内筒３０の被覆部分をさらに覆うまで延長し、延長部分５１を設けた。さらに、延長部分５１周上に、連続でリング状に突起したリング状突起５２ａ、５２ｂを設けた。こうすることによって、誤って取り落とした場合でも、内筒３０のガラスが割れにくい電線ヒューズを提供することが可能となる。また、端子カバー５０が絶縁筒の保護部材としても兼用されることから、製造コストを抑えるとともに、製造時は端子カバー５０を取り付けるだけの簡易な作業で電線ヒューズ１００の組立てを済ませることができる。
【産業上の利用可能性】
【００３３】
本発明に係る電線ヒューズは、低圧配電線路の引込線の途中に接続して使用する場合に用いられ、特に、内筒のガラスの耐衝撃性を高めると同時に、コストダウン並びに組立ての簡略化を図ることが可能な端子カバーを備えた電線ヒューズを製造する場合に有用である。
【符号の説明】
【００３４】
１０                  ヒューズエレメント
２０                  電線接続端子
３０                  内筒
４０                  絶縁筒
５０                  端子カバー
５１                  延長部分
５２ａ、５２ｂ        リング状突起
【図１】
0005583485.tif 000002
【図２】
0005583485.tif 000003
【図３】
0005583485.tif 000004
【図４】
0005583485.tif 000005
【図５】
0005583485.tif 000006